(57)【要約】【課題】  本発明は錆付きや劣化を効率よく防止して、長期間、確実に作動させることができ、保守が不要な、安価に製造できるコロ支承を得るにある。【解決手段】  少なくとも一対の支持バーと、この少なくとも一対の支持バーに両端部が所定間隔で固定された複数本の軸と、この複数本の軸にそれぞれ回転可能に取付けられた、該軸の外径寸法よりも内径寸法が大きく、下端部が前記一対の支持バーの下端部より下方へ突出するパイプ状のローラとでコロ支承を構成している。【選択図】  図１
2009063145.tif 000002
【特許請求の範囲】
【請求項１】
少なくとも一対の支持バーと、この少なくとも一対の支持バーに両端部が所定間隔で固定された複数本の軸と、この複数本の軸にそれぞれ回転可能に取付けられた、該軸の外径寸法よりも内径寸法が大きく、下端部が前記一対の支持バーの下端部より下方へ突出するパイプ状のローラとからなることを特徴とするコロ支承。
【請求項２】
一対の支持バーの下端部よりローラの外周部が突出するように配置されていることを特徴とする請求項１記載のコロ支承。
【請求項３】
一対の支持バーはローラの下端部が接触しないチャンネル材で形成されていることを特徴とする請求項１記載のコロ支承。
【発明の詳細な説明】
【技術分野】
【０００１】
本発明は主に目地プレートをスライド移動させる部分に使用されるコロ支承に関する。
【背景技術】
【０００２】
従来のコロ支承はベアリングを介装したローラや合成樹脂材を介装させるものが使用されている。
【０００３】
しかしながら、床目地装置のように人が通行する所に使用した場合、ベアリングの錆付きや合成樹脂材の劣化によって一定期間で修理しなければならず、この場合、通行止めを行なって修理しなければならないというという欠点があった。
【特許文献１】特になし
【発明の開示】
【発明が解決しようとする課題】
【０００４】
本発明は以上のような従来の欠点に鑑み、錆付きや劣化を効率よく防止して、長期間、確実に作動させることができ、保守が不要な、安価に製造できるコロ支承を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は少なくとも一対の支持バーと、この少なくとも一対の支持バーに両端部が所定間隔で固定された複数本の軸と、この複数本の軸にそれぞれ回転可能に取付けられた、該軸の外径寸法よりも内径寸法が大きく、下端部が前記一対の支持バーの下端部より下方へ突出するパイプ状のローラとでコロ支承を構成している。
【発明の効果】
【０００７】
以上の説明から明らかなように、本発明にあっては次に列挙する効果が得られる。
【０００８】
（１）少なくとも一対の支持バーと、この少なくとも一対の支持バーに両端部が所定間隔で固定された複数本の軸と、この複数本の軸にそれぞれ回転可能に取付けられた、該軸の外径寸法よりも内径寸法が大きく、下端部が前記一対の支持バーの下端部より下方へ突出するパイプ状のローラとからなるので、長期間経っても、パイプ状のローラが軸に錆付いて回転不能になったりするのを確実に防止することができる。
したがって、長期間、確実に作動させることができる。
【０００９】
（２）前記（１）によって、構造が簡単で、ベアリング等を使用しないので、低コストで容易に製造することができる。
【００１０】
（３）前記（１）によって、長期間、確実に作動するので、従来のように一定期間で保守を行なわなくてもよく、設置状態で使用する部分に最適状態で使用することができる。
【００１１】
（４）請求項２も前記（１）〜（３）と同様な効果が得られるとともに、床面上を移動する部分に最適状態で使用できる。
【００１２】
（５）請求項３も前記（１）〜（３）と同様な効果が得られるとともに、一対の支持バーを固定して使用する部分に最適に使用することができる。
【発明を実施するための最良の形態】
【００１３】
以下、図面に示す本発明を実施するための最良の形態により、本発明を詳細に説明する。
【００１４】
図１ないし図５に示す本発明を実施するための最良の第１の形態において、１は本発明のコロ支承で、このコロ支承１は一対の支持バー２、２と、この一対の支持バー２、２に両端部が所定間隔で固定された複数本の軸３と、この複数本の軸３にそれぞれ回転可能に取付けられた、該軸３の外径寸法よりも内径寸法が大きく、前記支持バー２、２の高さ寸法よりも外径寸法が大きく、下端部が前記一対の支持バー２、２の下端部より下方へ突出するパイプ状のローラ４とで構成されている。
【００１５】
このように構成されたコロ支承１は図４および図５に示すように、前後左右方向にスライド移動させることができる床用目地装置５の一方の建物６の開口部７の下部位置の躯体６ａにほぼ水平方向に固定されたチャンネル状のレール８内に収納され、目地プレート９の端部に形成されたガイド片１０が複数個のローラ４に支持されるように取付けられている。
このため、地震により一方の建物６と他方の建物１１とが異なる前後方向に揺れ動いた場合、目地プレート９のガイド片１０は複数個のローラ４上をスライド移動して、その揺れ動きを吸収する。
なお、軸３の外径寸法よりも大きな内径寸法のローラ４を取付けているため、錆付いて動かなくなったりするのを防止できるとともに、経年変化によって劣化したりするのを確実に防止することができる。
[発明を実施するための異なる形態]
【００１６】
次に、図６ないし図１５に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１７】
図６ないし図９に示す本発明を実施するための第２の形態において、前記本発明を実施するための最良の第１の形態と主に異なる点は、一対の支持バーとして下端部が接続されたチャンネル材１２を用いた点で、このようなチャンネル材１２を一対の支持バー２Ａ、２Ａとして用いて構成したコロ支承１Ａにしても、前記本発明を実施するための最良の第１の形態と同様な作用効果が得られるとともに、一対の支持バー２Ａ、２Ａをレールとして使用できる。
なお、複数個の軸３に回転可能に取付けられるパイプ状のローラ４はチャンネル材１２の底面１２ａに接触していても、浮いていてもよく、要はローラ4が回転できるように遊びを介して軸３に取付けられておればよい。
【００１８】
図１０ないし図１５に示す本発明を実施するための第３の形態において、前記本発明を実施するための最良の第１の形態と主に異なる点は、4対となるように５個の当接バー２、２、２、２、２に両端部が所定間隔で固定された複数本の軸３を固定した点で、このように形成されたコロ支承１Ｂは床用目地装置５Ａの他方の建物１１の目地部側の床躯体１１ａに形成された目地プレート支持凹部１３と目地プレート９との間に配置され、目地プレート９の左右方向のスライド移動をスムーズに行なう場合うに使用される。
また、図１５に示すように荷物１４を載せて移動する場合に使用される。この場合、床面に凹凸があってもそれぞれのパイプ状のローラ４は上下方向に移動できるため、スムーズに移動することができる。
【００１９】
なお、前記本発明を実施する各形態では複数本の軸３を支持バー２、２Ａに固定するものについて説明したが、本発明はこれに限らず、位置だけ固定できるように支持バー２、２Ａに取付けたものであってもよい。
【産業上の利用可能性】
【００２０】
本発明はコロ支承を製造する産業で利用される。
【図面の簡単な説明】
【００２１】
【図１】本発明を実施するための最良の第１の形態の平面図。
【図２】本発明を実施するための最良の第１の形態の側面図。
【図３】図１の３−３線に沿う断面図。
【図４】本発明を実施するための最良の第１の形態の使用状態の平面図。
【図５】図４の５−５線に沿う断面図。
【図６】本発明実施するための第２の形態の平面図。
【図７】本発明を実施するための第２の形態の正面図。
【図８】図６の８−８線に沿う断面図。
【図９】本発明を実施するための第２の形態の使用状態の断面図。
【図１０】本発明を実施するための第３の形態の平面図。
【図１１】本発明を実施するための第３の形態の側面図。
【図１２】図１０の１２−１２線に沿う断面図。
【図１３】本発明を実施するための第３の形態の使用状態の平面図。
【図１４】図１３の１４−１４線に沿う断面図。
【図１５】本発明を実施するための第３の形態の別の使用状態の説明図。
【符号の説明】
【００２２】
１、１Ａ、１Ｂ：コロ支承、        ２、２Ａ：支持バー、
３：軸、                                            ４：ローラ、
５、５Ａ：床用目地装置、                        ６：一方の建物、
７：開口部、                                                ８：レール、
９：目地プレート、                                    １０：ガイド片、
１１：他方の建物、                                    １２：チャンネル材、
１３：目地プレート支持凹部、    １４：荷物。
【図１】
2009063145.tif 000003
【図２】
2009063145.tif 000004
【図３】
2009063145.tif 000005
【図４】
2009063145.tif 000006
【図５】
2009063145.tif 000007
【図６】
2009063145.tif 000008
【図７】
2009063145.tif 000009
【図８】
2009063145.tif 000010
【図９】
2009063145.tif 000011
【図１０】
2009063145.tif 000012
【図１１】
2009063145.tif 000013
【図１２】
2009063145.tif 000014
【図１３】
2009063145.tif 000015
【図１４】
2009063145.tif 000016
【図１５】
2009063145.tif 000017